(57)【要約】【課題】操作性を向上させるとともに、除菌動作のみを行うことのできる空気調和装置を提供する。【解決手段】圧縮機及び室外熱交換器を有した室外機と、送風機及び室内熱交換器を有した室内機とを連結配管で接続してなる空気調和装置であって、活性酸素種を含む電解水が浸透した気液接触部材を、前記室内機の前記送風機による空気の流路上に配置し、当該気液接触部材に浸透した電解水に空気を接触させて除菌する除菌装置と、空調動作及び除菌動作を制御する制御部とを設け、この制御部による運転モードとしては、前記空調動作と前記除菌装置による前記除菌動作とを連動させる連動運転モードと、前記空調動作を行わずに前記除菌装置による前記除菌動作を行う独立除菌運転モードとを備えるようにした。【選択図】図８
2008051423.tif 000002
【特許請求の範囲】
【請求項１】
圧縮機及び室外熱交換器を有した室外機と、送風機及び室内熱交換器を有した室内機とを連結配管で接続してなる空気調和装置であって、
活性酸素種を含む電解水が浸透した気液接触部材を、前記室内機の前記送風機による空気の流路上に配置し、当該気液接触部材に浸透した電解水に空気を接触させて除菌する除菌装置と、空調動作及び除菌動作を制御する制御部とを設け、この制御部による運転モードとしては、前記空調動作と前記除菌装置による前記除菌動作とを連動させる連動運転モードと、前記空調動作を行わずに前記除菌装置による前記除菌動作を行う独立除菌運転モードとを備えることを特徴とする空気調和装置。
【請求項２】
前記連動運転モードにおいて前記除菌装置による前記除菌動作を停止させて前記空調動作を行う独立空調運転モードに移行させ、あるいは、前記独立空調運転モードにおいて前記除菌装置による前記除菌動作を開始させて前記連動運転モードに移行させるための操作指示をユーザに行わせるための切替操作部を備えることを特徴とする請求項１に記載の空気調和装置。
【請求項３】
前記独立除菌モードにおいて、前記制御部は、前記室内機に前記送風機による送風動作を行わせることを特徴とする請求項１または２に記載の空気調和装置。
【請求項４】
圧縮機及び室外熱交換器を有した室外機と、送風機及び室内熱交換器を有した室内機とを連結配管で接続してなる空気調和装置であって、
活性酸素種を含む電解水が浸透した気液接触部材を、前記室内機の前記送風機による空気の流路上に配置し、当該気液接触部材に浸透した電解水に空気を接触させて除菌する除菌装置と、空調動作及び除菌動作を制御する制御部とを設け、この制御部による運転モードとしては、前記空調動作と前記除菌装置による前記除菌動作とを連動させる連動運転モードと、前記空調動作を行わずに前記除菌装置による前記除菌動作を行う独立除菌運転モードとを備える空気調和装置を制御する制御方法において、
ユーザによって行われた空調動作指示あるいは除菌動作指示を検知する過程と、
現在の運転状況を判別する過程と、
現在の運転状況が運転停止中であり、かつ、前記空調動作指示を検知した場合に前記連動運転モードに移行させるとともに、現在の運転状況が運転停止中であり、かつ、前記除菌動作指示を検知した場合に前記独立除菌運転モードに移行させる過程と、
を備えたことを特徴とする空気調和装置の制御方法。
【発明の詳細な説明】
【技術分野】
【０００１】
本発明は、空気を電解水に接触させて、空気中に含まれる空中浮遊微生物（細菌、ウィルス、真菌（以下、単に「ウィルス等」という。））の除菌が可能な除菌装置を備えた空気調和装置及びその制御方法に関する。
【背景技術】
【０００２】
従来、空気調和装置の内部に加湿器を設け、室内に加湿された空気を供給する空気調和装置が知られている（例えば、特許文献１参照）。
また、水道水等を電気分解して次亜塩素酸などの活性酸素種を含む電解水を生成し、この電解水に空気を接触させることにより、空気中に含まれる空中浮遊微生物を分解・除去等して、空気の除菌を行う方法が知られている。
【特許文献１】特許第２７１４０７６号公報
【発明の開示】
【発明が解決しようとする課題】
【０００３】
空気調和装置に、電解水に空気を接触させて除菌する除菌装置を設けた場合、空気調和装置による空調動作と、除菌装置による除菌動作との制御を個別に行い、ユーザがそれぞれを個別に操作する制御方法が考えられる。しかしながら、このような制御方法によると、空調動作及び除菌動作の両方を行うときに、それぞれの装置を個別に操作する必要があり操作が煩雑になってしまうおそれがあった。
【０００４】
一方、空気調和装置による空調動作と除菌装置による除菌動作とを連動させて、空調動作を行わせたときに除菌動作も行わせることによって操作性を向上させる制御方法が考えられる。しかしながら、このような制御方法によると、除菌動作を行うときには、空調動作が必要であるか否かに拘わらず、常に空調動作が行われてしまうため、例えば、室温が適温であり、空調動作が不要な場合であっても空調動作を行ってしまうという不具合が生じる。
そこで、本発明の目的は、操作性を向上させるとともに、除菌動作のみを行うことのできる空気調和装置を提供することにある。
【課題を解決するための手段】
【０００５】
本発明は、圧縮機及び室外熱交換器を有した室外機と、送風機及び室内熱交換器を有した室内機とを連結配管で接続してなる空気調和装置であって、活性酸素種を含む電解水が浸透した気液接触部材を、前記室内機の前記送風機による空気の流路上に配置し、当該気液接触部材に浸透した電解水に空気を接触させて除菌する除菌装置と、空調動作及び除菌動作を制御する制御部とを設け、この制御部による運転モードとしては、前記空調動作と前記除菌装置による前記除菌動作とを連動させる連動運転モードと、前記空調動作を行わずに前記除菌装置による前記除菌動作を行う独立除菌運転モードとを備えることを特徴とする。
【０００６】
この場合において、前記連動運転モードにおいて前記除菌装置による前記除菌動作を停止させて前記空調動作を行う独立空調運転モードに移行させ、あるいは、前記独立空調運転モードにおいて前記除菌装置による前記除菌動作を開始させて前記連動運転モードに移行させるための操作指示をユーザに行わせるための切替操作部を備えていてもよい。前記独立除菌モードにおいて、前記制御部は、前記室内機に前記送風機による送風動作を行わせてもよい。
【０００７】
また、本発明は、圧縮機及び室外熱交換器を有した室外機と、送風機及び室内熱交換器を有した室内機とを連結配管で接続してなる空気調和装置であって、活性酸素種を含む電解水が浸透した気液接触部材を、前記室内機の前記送風機による空気の流路上に配置し、当該気液接触部材に浸透した電解水に空気を接触させて除菌する除菌装置と、空調動作及び除菌動作を制御する制御部とを設け、この制御部による運転モードとしては、前記空調動作と前記除菌装置による前記除菌動作とを連動させる連動運転モードと、前記空調動作を行わずに前記除菌装置による前記除菌動作を行う独立除菌運転モードとを備える空気調和装置を制御する制御方法において、ユーザによって行われた空調動作指示あるいは除菌動作指示を検知する過程と、現在の運転状況を判別する過程と、現在の運転状況が運転停止中であり、かつ、前記空調動作指示を検知した場合に前記連動運転モードに移行させるとともに、現在の運転状況が運転停止中であり、かつ、前記除菌動作指示を検知した場合に前記独立除菌運転モードに移行させる過程と、を備えたことを特徴とする。
【発明の効果】
【０００８】
本発明によれば、空調動作と除菌装置による除菌動作とを連動させる連動運転モードと、除菌装置による除菌動作のみを行う独立除菌運転モードとを備えるため、操作性の向上を図りつつ、除菌動作のみを行うことができる。
【発明を実施するための最良の形態】
【０００９】
以下、本発明の実施の形態に係る空気調和装置について、図面を参照しながら説明する。なお、本実施の形態では、空気調和装置の一例として、四方向吹き出し型の天井埋込型空気調和装置について説明する。
図１に本実施の形態における空気調和装置１００の概略構成を示す。本実施の形態の空気調和装置１００は、室外ユニット（室外機）１と室内ユニット（室内機）２とを備えた分離型のヒートポンプ式空気調和装置である。室外ユニット１の室外冷媒配管１０と室内ユニット２の室内冷媒配管３４とが連結配管３５を介して連結され、これら室外ユニット１および室内ユニット２は制御装置（制御部）８によって運転制御される。
【００１０】
室外ユニット１は、室外に設置されるもので、図１に示すように、室外冷媒配管１０に圧縮機１１が配設され、圧縮機１１にはその吸込側にアキュムレータ１２が接続され、その吐出側には四方弁１３と室外熱交換器１４と電動膨張弁１５とが順に接続されている。また、室外ユニット１には、室外熱交換器１４へ向かって送風する室外ファン１６が配設されている。
【００１１】
室内ユニット２は、被調和室内に設置されるもので、図１に示すように、空気の吸込口３１および吹出口３２を備えた筐体２０内に室内熱交換器２１と、空気の吸込口３１から吹出口３２に向けて筐体２０内に空気を導通させる送風ファン（送風機）２２と、この送風ファン２２により形成される筐体２０内の空気導通経路内に配置され、室内熱交換器２１により熱交換された空気に活性酸素種を含む電解水を接触させて空気の除菌を行う空気除菌部４とを備えている。
制御装置８は、図示せぬＣＰＵと、ＲＯＭと、ＲＡＭとを備えている。ＣＰＵは、ＲＯＭ内の制御プログラムに従って、空気調和装置１００全体の制御を行う。ＲＯＭは、制御プログラムを含む制御用データをあらかじめ記憶している。ＲＡＭは、各種データを一時的に記憶する。
【００１２】
上記空気調和装置１００では、四方弁１３を切り替えることにより冷媒回路１００ａを流れる冷媒の流れを切り替えて冷房運転と暖房運転とを切り替えるよう構成されている。冷房運転時には図中に示す実線矢印の方向に冷媒が流れ、暖房運転時には波線矢印の方向に冷媒が流れる。
【００１３】
図２は、本発明の実施の形態に係る空気調和装置に使用される室内ユニットが、天井に埋め込まれた状態を示す側部断面図である。また、図３は、図２に示す室内ユニット２の上下方向を逆にして分解した状態を示す分解斜視図である。
室内ユニット２は、図２に示すように、室内熱交換器２１や制御装置８などを内包する筐体２０と、この筐体２０が天井空間に取り付けられた状態で、筐体２０の下側に配置される化粧パネル３０とで構成されている。
【００１４】
筐体２０は、図３に示すように、下面（但し、図３において上方の面）が開口した略四角形の箱形に形成されている。筐体２０は、室内熱交換器２１に接続される室内冷媒配管３４等を導くための切り込みが形成された一つの側板２０ｅと、押し込まれたときに開口２０ｄが形成されるノックアウトホール部２０ｃが設けられた三つの側板２０ａとを備えている。ノックアウトホール部２０ｃに形成された開口２０ｄには、空気除菌部４等が取り付けられた除菌ユニット３が外側から差し込まれる。なお、本実施形態における室内ユニット２は、一つのノックアウトホール部２０ｃのみに開口２０ｄが形成され、一つの除菌ユニット３がはめ込まれるが、図３に示すように、その他のノックアウトホール部２０ｃに開口２０ｄを形成し、除菌ユニット３と同じ構成を備えた新たな除菌ユニット３Ｂを追加することも可能である。
この除菌ユニット３は、開口２０ｄにはめ込まれてこの開口２０ｄを閉鎖する板部３ａを備え、この板部３ａの内側には、空気除菌部４が取付金具６１を介して取り付けられている。空気除菌部４は、取付金具６１を介して取り付けられることにより、板部３ａとの間に間隔が空けられる。板部３ａの内側の側面には、発泡スチロール製の断熱体が設けられている。
一方、板部３ａの外側には、後段に詳述する電解ユニット（電解手段）５、水道水制御弁４６、逆止弁４７、循環ポンプ４９、電装基板（制御手段）４０等が取り付けられている。この除菌ユニット３は、外側が外装カバー８０で覆われる。
【００１５】
ここで、電装基板４０は、図示せぬＣＰＵと、ＲＯＭと、ＲＡＭとを備え、制御装置８に接続されている。ＣＰＵは、ＲＯＭ内の制御プログラムに従って、電解ユニット５、水道水制御弁４６、循環ポンプ４９等の制御を行う。これにより、電装基板４０は、制御装置８の指示に基づいて、水道水制御弁４６を開閉して水道水流量を調節したり、電解ユニット５を通電させて電解水を生成させたり、循環ポンプ４９を駆動させて電解水を循環させたりすることができる。ＲＯＭは、制御プログラムを含む制御用データをあらかじめ記憶している。ＲＡＭは、各種データを一時的に記憶する。
また、筐体２０の四隅には、吊り金具１０３が取り付けられている。この筐体２０は、図２に示すように、建屋の天井１０１に略四角形に形成された天井孔１０２から天井１０１の裏側に埋め込まれ、天井裏から垂下する吊りボルト１０４に吊り金具１０３が止着されることにより、天井空間に吊り下げられるようになっている。
【００１６】
化粧パネル３０は、平面視において略四角形（略正方形）に形成されており、この化粧パネルによって筐体２０の下面および天井孔１０２が覆われている。この化粧パネル３０には、平面視における略中央部に位置する吸込口３１と、化粧パネル３０の四辺の近傍に、それぞれの辺に沿って長尺に形成された吹出口３２とが形成されている。この吸込口３１の内側、すなわち天井１０１裏側にはフィルタ３３が装着されている。これにより、室内ユニット２は、この吸込口３１から被調和室内の空気を筐体２０の内部へ吸い込み、筐体２０内で空気の熱交換を行った後、四つの吹出口３２から被調和室内に向けて空気を四方向に吹き出すようになっている。
【００１７】
次に、筐体２０の内部構成について、図１〜図３を用いて説明する。筐体２０の側板２０ａの内面には、図２に示すように、発泡スチロール製の断熱体２３が設けられている。また、筐体２０の天板の内側２０ｂにはモータ２２ａが固定され、このモータ２２ａのシャフトには羽根車２２ｂが取り付けられており、これらが送風ファン２２を構成している。この送風ファン２２を取り囲むように、筐体２０の側板２０ａ及び側板２０ｅに沿って略四角形状に曲げられた室内熱交換器２１が上記発泡スチロール製の断熱体２３の内側に配置されている（図３参照）。この室内熱交換器２１には送風ファン２２により吸込口３１から吸い込まれた空気が供給され、室内熱交換器２１により熱交換された空気が各吹出口３２から吹き出されるように構成されている。
【００１８】
また、室内熱交換器２１の下方には、図２に示すように、発泡スチロール製のドレンパン２４が配置されている。このドレンパン２４は、外周面が筐体２０の内面に略設した状態で筐体２０内に配置される。また、このドレンパン２４には、化粧パネル３０の吸込口３１および吹出口３２に対応する位置に吸込開口２５及び吹出開口２６が設けられている。吸込開口２５は図３に示すように、略矩形に形成されたドレンパン２４の中央に平面視略円形に形成されている。また、吹出開口２６はドレンパン２４の４辺に沿ってそれぞれ形成されている。
【００１９】
また、このドレンパン２４には、室内熱交換器２１の一隅に相当する位置にドレンポンプ２７が配設され、ドレンパン２４に貯留したドレン水はドレンポンプ２７により汲み上げられて、室内ユニット２の外部に排出される。
【００２０】
一方、四角形状に折り曲げられた室内熱交換器２１の側面の一部には、外側に空気除菌部４が隣り合うように、除菌ユニット３が配置されている。空気除菌部４は、室内熱交換器２１の側面と、断熱体を備える除菌ユニット３の板部３ａと、の間に配置されている。室内熱交換器２１を流通した空気は、空気除菌部４を流通して除菌される。この除菌された空気は、空気除菌部４と板部３ａとの間を下方に流れて、化粧パネル３０に形成された吹出口３２から、被調和室に吹き出される。
【００２１】
この空気除菌部４は、図４（Ａ）に示すように、保水性の高いエレメント（気液接触部材）４１と、このエレメント４１の上部に配置される分散皿４２と、エレメント４１の下方に配置される電解水トレー４３とを備える。エレメント４１は、例えばアクリル繊維やポリエステル繊維等で作製された不織布で構成することができる。また、エレメント４１の素材として、電解水に対する反応性の少ない素材が好ましく、他にポリオレフィン系樹脂（ポリエチレン樹脂、ポリプロピレン樹脂等）、塩化ビニル樹脂、フッ素系樹脂（ＰＴＦＥ、ＰＦＡ、ＥＴＦＥ等）、セルロース系材料またはセラミックス系材料等を用いることができる。
【００２２】
本実施の形態では、エレメント４１に対して親水処理を施すことなどにより、電解水に対する親和性を高めている。これにより、エレメント４１の電解水の保水性（湿潤性）が保たれ、電解水と導入された空気との接触が長時間持続される。
【００２３】
分散皿４２は、その側面に電解水注入チューブ５１が接続される接続口４２ａが形成されるとともに、当該電解水注入チューブ５１を通じて供給された電解水を滴下して、エレメント４１に分散させるための孔（不図示）が、上記分散皿４２の底面に多数形成されている。
【００２４】
電解水トレー４３は、エレメント４１を通過し、流下した電解水を貯留可能とする。この電解水トレー４３の底面には、電解水をドレンパン２４（図２および図３参照）に導くドレン管４４が接続されている。空気除菌部４は、取付金具６１が電解水トレー４３の両端を支持することによって板部３ａに取り付けられる。
【００２５】
他方、電解水注入チューブ５１は、電解ユニット５、水道水調整部６（図５参照）等を介して図示しない給水源に接続されている。この給水源は、水道水調整部６を介して電解ユニット５に水を供給できるものであればよく、例えば、水道水調整部６を水道管（図示略）に接続して、水道管を介して供給される市水（水道水）を給水源としてもよいし、例えば、水道水調整部６を給水槽（図示略）等と接続して、給水槽等に貯留された水を給水源としてもよい。ここで、給水槽等に貯留される水は水道水等のように、塩化物イオン等のイオン種が予め含有されている水であってもよいし、井戸水等のイオン種濃度の希薄な水であってもよい。以下、水道水調整部６を介して給水源から供給されるこれらの水を「水道水等」という。
【００２６】
電解水をエレメント４１に供給する電解ユニット５は、図４（Ｂ）に示すように、給水源からの水道水等が供給される電解槽５２と、この電解槽５２の内部に少なくとも一対の電極５３ａ、５３ｂとを備えており、この電極５３ａ、５３ｂは、通電された場合、電解槽５２に水道水調整部６を介して供給された所定のイオン種が添加された水道水等を電気分解して活性酸素種を含む電解水を生成させる。
【００２７】
ここで、活性酸素種とは、通常の酸素よりも高い酸化活性を持つ酸素分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。電解槽５２はエレメント４１に接近して配置され、電解水注入チューブ５１を介して活性酸素種を含む電解水をただちにエレメント４１に供給できるように構成される。
【００２８】
電極５３ａ、５３ｂは、例えばベースがＴｉ（チタン）で皮膜層がＩｒ（イリジウム）、Ｐｔ（白金）から構成された２枚の電極板を用いることができる。
【００２９】
上記電極５３ａ、５３ｂにより水道水等に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、水道水等に元々含有される塩化物イオンまたは薬剤添加部７により添加された塩化物イオン等が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００３０】
この構成では、電極５３ａ、５３ｂに通電することにより、殺菌力の大きいＨＣｌＯ（次亜塩素酸）等が発生し、この次亜塩素酸等の活性酸素種を含んだ電解水が供給されたエレメント４１に空気を通過させることにより、当該エレメント４１を通過する空気中に浮遊するウィルス等を不活化させて、空気を除菌することができるとともに、このエレメント４１で雑菌が繁殖することを防止することができる。また、臭気等のガス状物質もエレメント４１を通過する際に、電解水に溶解したり、電解水中の次亜塩素酸等の活性酸素種と反応したりして、空気中から除去され、脱臭することができる。
【００３１】
この電極５３ａ、５３ｂに所定の電流密度の電流（例えば、２０ｍＡ／ｃｍ2等）を通電すると、所定量の水道水等を電気分解して、所定の濃度の活性酸素種（例えば、遊離残留塩素濃度１ｍｇ／ｌ等）を含む電解水を生成することができる。また、この電流値を変更することにより、電流値を小さくした場合には電解水の次亜塩素酸の濃度を低くすることができ、電流値を大きくした場合には電解水の次亜塩素酸の濃度を高くすることができる。
【００３２】
図５は、空気除菌部を通過する電解水の流れを示す系統図である。なお、図５では、矢印Ｇが示す方向を下方向とする。
電解ユニット５の上流側には、上述したように、水道水調整部６が接続され、この水道水調整部６は、水道水注入配管４８を介して図示しない給水源に接続されている。
水道水調整部６は、接続管５０、水道水制御弁４６及び逆止弁４７を備えている。電解ユニット５は、接続管５０を介して水道水制御弁４６に接続されており、水道水制御弁４６は、逆止弁４７に接続されている。この逆止弁４７には、水道水注入配管４８がコネクタ５９を介して接続され、給水源から水道水が供給される。
水道水制御弁４６は、電装基板４０の制御に基づいて開閉動作を行い、開いているときに、給水源から供給された水道水等が電解ユニット５に流入する。
【００３３】
電解ユニット５から空気除菌部４に供給された電解水は、上述したように、電解水トレー４３に貯留される。この電解水トレー４３は、循環ポンプ４９の吸込ノズル４９Ａが配置されており、循環ポンプ４９を介して接続管５０に接続されている。これにより、循環ポンプ４９が駆動することによって、電解水トレー４３に貯留された電解水を電解ユニット５に供給する。
電解水トレー４３の下部に接続されたドレン管４４は、電磁弁である流量制御弁４５を備えている。これにより、流量制御弁４５が開いたときに、電解水トレー４３に貯留された電解水が、ドレン管４４を流通する。このドレン管４４は、ドレンパン２４の上方に配置されており、ドレン管４４を流通した電解水は、ドレン管４４の下端からドレンパン２４に流下する。
また、電解水トレー４３には、貯留された電解水の水位を検知するフロートスイッチ５４が設けられている。このフロートスイッチ５４は、電装基板４０に接続されている。電装基板４０は、フロートスイッチ５４が低水位（電解水を循環させるのに必要な水位以下）を検知したときに、水道水制御弁４６を開き、水道水等を電解ユニット５に供給させる。
本実施形態では、空気除菌部４、電解ユニット５、循環ポンプ４９及び水道水制御弁４６によって、除菌ユニット（除菌装置）３の一部を構成している。
【００３４】
図６は、空気調和装置の主要構成を示すブロック図である。
制御装置８は、少なくとも、空気調和装置１００の運転モードに応じた制御プログラムを格納し、室外ユニット１、電装基板４０、送風ファン２２等を制御するものである。
この制御装置８は、遠隔操作用のリモートコントローラ３６（以下、「リモコン」という。）を介して、ユーザから各種指示が入力される。
【００３５】
制御装置８は、電装基板４０に各種動作指示を行うことによって、電装基板４０が電解ユニット５、フロートスイッチ５４、水道水制御弁４６、循環ポンプ４９等を制御する。
フロートスイッチ５４は、電解水トレー４３内に予め定められた許可水位以上の電解水が有るか否か検出することにより、電解水トレー４３内の水の有無を検出する。電装基板４０は、フロートスイッチ５４から水無しの検出信号が入力されると、水有りとなるまで、水道水制御弁４６を開いて、電解ユニット５に水道水等を供給させる。
【００３６】
リモコン３６は、ユーザが操作することによる操作指示を、指示信号として制御装置８に送信するための操作部であり、少なくとも、空調ボタン３７と、除菌ボタン（切替操作部）３８とを備えている。
空調ボタン３７は、ユーザが操作することにより、制御装置８が室内ユニット２の空調動作を制御する。
【００３７】
図７は、空気調和装置による運転モードの状態遷移図である。
室内ユニット２による空調動作と除菌ユニット３による除菌動作とは連動しており、空調動作が停止しているときに空調ボタン３７が操作されると、空調動作と除菌動作とを同時に行う連動運転モードに移行する。
室内ユニット２による空調動作が行われているときに空調ボタン３７が操作されると、空調動作及び除菌動作を停止する運転停止モードに移行する。
【００３８】
除菌ボタン３８は、ユーザが操作することにより、除菌ユニット３の除菌動作を操作する。
室内ユニット２による空調動作と除菌ユニット３による除菌動作とを行う連動運転モードで空気調和装置１００が運転しているときに、除菌ボタン３８が操作されると、空調動作のみを行う独立空調運転モードに移行する。
室内ユニット２による空調動作のみを行う独立空調運転モードで空気調和装置１００が運転しているときに、除菌ボタン３８が操作されると、空調動作及び除菌動作を行う連動運転モードに移行する。
空気調和装置１００が運転停止モードで空調動作及び除菌動作を停止しているときに、除菌ボタン３８が操作されると、室内ユニット２に送風ファン２２による送風動作を行わせるとともに、除菌ユニット３に除菌動作を行わせる独立除菌運転モードに移行する。
空調動作を伴わずに除菌ユニット３による除菌動作を行う独立除菌運転モードで空気調和装置１００が運転しているときに、除菌ボタン３８が操作されると、運転停止モードに移行する。
【００３９】
次に、本実施の形態の空気調和装置１００の動作を説明する。
ユーザによって、室内リモコン（不図示）等から運転開始指示が入力されると、図１に示すように、制御装置８は運転開始指示により指示された運転モード（冷房運転モード／暖房運転モード）に応じて、室外ユニット１の四方弁１３を冷房側又は暖房側に切り替えて冷房運転又は暖房運転等の所定の空調運転を行う。
【００４０】
ここで、冷房運転を行う場合には、制御装置８は四方弁１３を冷房側に切り替えることにより、図１に示す波線矢印の様に、冷媒回路１００ａ中に冷媒を流して、室外熱交換器１４を凝縮器として機能させ、室内熱交換器２１を蒸発器として機能させる。そして送風ファン２２を動作させて、室内ユニット２において吸込口３１から被調和室内の空気を吸い込ませて室内熱交換器２１により熱交換を行い、冷却した空気を空気除菌部４（図５参照）に供給させる。空気除菌部４に供給された空気は、吹出口３２から被調和室内に向けて吹き出される。
【００４１】
一方、暖房運転を行う場合には、制御装置８は四方弁１３を暖房側に切り替えることにより、図１に示す実線矢印の様に、冷媒回路１００ａ中に冷媒を流して、室外熱交換器１４を蒸発器として機能させ、室内熱交換器２１を凝縮器として機能させる。そして、送風ファン２２を動作させて、室内ユニット２において吸込口３１から被調和室内の空気を吸い込ませて室内熱交換器２１により熱交換を行い、加温した空気を空気除菌部４（図５参照）に供給させる。空気除菌部４に供給された空気は、吹出口３２から被調和室内に向けて吹き出される。
【００４２】
上記のように、空調運転が行われると同時に、電装基板４０は、水道水制御弁４６を開いて水道水等を電解ユニット５に供給する。そして、電解ユニット５において所定量のイオン種が添加された水道水等を電気分解させて、次亜塩素酸等の所定の活性酸素種を含む電解水を生成させ、電解水を空気除菌部４に供給する。これにより、空気除菌部４に供給された電解水は、エレメント４１に浸透する。このとき、空気除菌部４において、エレメント４１に供給された空気は活性酸素種を含む電解水に接触して、除菌される。エレメント４１に浸透した電解水は、電解水トレー４３に流下し、貯留される。
【００４３】
本実施形態では、電装基板４０は、水道水制御弁４６を閉じて電解ユニット５への水道水等の供給を停止した場合であっても、循環ポンプ４９を駆動することによって、電解水トレー４３に貯留された電解水を電解ユニット５に供給させる。これにより、電解ユニット５が停止していても、空気除菌部４に電解水が供給される。このとき、フロートスイッチ５４が低水位を検知すると、電装基板４０は、水道水制御弁４６を開き、水道水等を電解ユニット５に供給させる。
電解水トレー４３に貯留された電解水は、電装基板４０の制御に基づいて、流量制御弁４５が開くことによって、ドレン管４４の下端から室内熱交換器２１のドレンパン２４に流下する。ここで、電装基板４０は、ユーザが選択して設定することにより、電解水トレー４３に貯留された電解水を、間欠的（例えば、１時間毎等）にドレンパン２４に流下させたり、常時ドレンパン２４に流下させたりすることができる。ドレンパン２４に流下した電解水は、ドレンパン２４に貯留されたドレン水とともに、ドレンポンプ２７によって外部に排水される。
【００４４】
図８に、リモコンが操作されたときの、室内ユニットの動作制御のフローチャートを示す。
空気調和装置１００の電源が投入されると、制御装置８は、リモコン３６が操作されたか否かを判別する（ステップＳ１）。
この判別の結果、リモコン３６が操作されていない場合には（ステップＳ１：Ｎｏ）、制御装置８は、リモコン３６が操作されるまでステップＳ１の処理を繰り返す。
【００４５】
一方、上記ステップＳ１の判別の結果、リモコン３６が操作された場合には（ステップＳ１：Ｙｅｓ）、制御装置８は、空調ボタン３７が操作されたのか否かを判別する（ステップＳ２）。
【００４６】
上記ステップＳ２の判別の結果、空調ボタン３７が操作された場合には（ステップＳ２：Ｙｅｓ）、制御装置８は、空気調和装置１００が空調動作中であるか否かを判別する（ステップＳ３）。
この判別の結果、空気調和装置１００が空調動作中である場合には（ステップＳ３：Ｙｅｓ）、制御装置８は、空気調和装置１００の運転モードを、連動運転モードあるいは独立空調運転モードから運転停止モードに移行させ、空調動作及び除菌動作を停止する（ステップＳ５）。
【００４７】
一方、上記ステップＳ３の判別の結果、空気調和装置１００が空調動作中でない場合には（ステップＳ３：Ｎｏ）、制御装置８は、空気調和装置１００の運転モードを、独立除菌運転モードあるいは運転停止モードから連動運転モードに移行させ、空調動作及び除菌動作を行う（ステップＳ４）。
【００４８】
上記ステップＳ２において、空調ボタン３７が操作されていない場合には（ステップＳ２：Ｎｏ）、制御装置８は、リモコン３６の除菌ボタン３８が操作されたのか否かを判別する（ステップＳ６）。
この判別の結果、除菌ボタン３８が操作されたのではない、すなわち、空調ボタン３７及び除菌ボタン３８以外のその他のボタンが操作された場合には（ステップＳ６：Ｎｏ）、制御装置８は、操作されたその他のボタンに対応する処理を実行し（ステップＳ７）、リモコン３６が操作されたときの一連の処理を終了する。
【００４９】
一方、上記ステップＳ６の判別の結果、除菌ボタン３８が操作された場合には（ステップＳ６：Ｙｅｓ）、制御装置８は、空気調和装置１００が空調動作中であるか否かを判別する（ステップＳ８）。
【００５０】
この判別の結果、空気調和装置１００が空調動作中である場合には（ステップＳ８：Ｙｅｓ）、制御装置８は、空気調和装置１００が除菌動作中であるか否かを判別する（ステップＳ９）。
この判別の結果、空気調和装置１００が除菌動作中ではない場合には（ステップＳ９：Ｎｏ）、制御装置８は、空気調和装置１００の運転モードを、独立空調運転モードから連動運転モードに移行させ、空調動作及び除菌動作を行う（ステップＳ１１）。
【００５１】
一方、上記ステップＳ９の判別の結果、空気調和装置１００が除菌動作中である場合には（ステップＳ９：Ｙｅｓ）、制御装置８は、空気調和装置１００の運転モードを、連動運転モードから独立空調運転モードに移行させ、空調動作のみを行う（ステップＳ１０）。
【００５２】
上記ステップＳ８において、空気調和装置１００が空調動作中ではない場合には（ステップＳ８：Ｎｏ）、空気調和装置１００が除菌動作中であるか否かを判別する（ステップＳ１２）。
この判別の結果、空気調和装置１００が除菌動作中である場合には（ステップＳ１２：Ｙｅｓ）、制御装置８は、空気調和装置１００の運転モードを、独立除菌運転モードから運転停止モードに移行させ、除菌動作を停止する（ステップＳ１４）。
【００５３】
一方、上記ステップＳ１２の判別の結果、空気調和装置１００が除菌動作中ではない場合には（ステップＳ１２：Ｎｏ）、制御装置８は、空気調和装置１００の運転モードを、運転停止モードから独立除菌運転モードに移行させ、空調動作を伴わずに除菌動作を行う（ステップＳ１３）。
【００５４】
以上の処理により、空調ボタン３７が操作されると、制御装置８は、連動運転モードと運転停止モードとを切り替える。このとき、室内ユニット２による空調動作と、除菌ユニット３による除菌動作とが連動しているため、空調動作に連動させて除菌動作も行う、あるいは、空調動作の停止に連動させて除菌動作も停止させることができる。
【００５５】
また、空気調和装置１００が空調動作中であるときに、除菌ボタン３８が操作されると、制御装置８は、連動運転モードと独立空調運転モードとを切り替えるため、空調動作を維持した状態で、除菌ユニット３による除菌動作のみの実行／停止を切り替えることができる。より具体的には、連動運転モードにあるときに、除菌ボタン３８が操作されると、独立空調運転モードに切り替え、独立空調運転モードにあるとき、除菌ボタン３８が操作されると、連動運転モードに切り替えることができる。
【００５６】
さらに、空気調和装置１００が空調動作中ではないときに、除菌ボタン３８が操作されると、制御装置８は、運転停止モードと独立除菌運転モードとを切り替えるため、空調動作を伴わずに除菌ユニット３による除菌動作の実行／停止を切り替えることができる。より具体的には、運転停止モードにあるときに、除菌ボタン３８が操作されると、独立除菌運転モードに切り替え、送風ファン２２による送風動作と、除菌ユニット３による除菌動作とを行わせ、独立除菌運転モードにあるときに、除菌ボタン３８が操作されると、運転停止モードに切り替えることができる。
【００５７】
本実施形態によると、空気調和装置１００は、室内ユニット２による空調動作と除菌ユニット３による除菌動作とを連動させる連動運転モードを備えている。これにより、ユーザがリモコン３６の空調ボタン３７を一度押しただけで、空気調和装置１００の運転モードが連動運転モードに移行し、空調動作が行われるとともに、この空調動作に連動して除菌ユニット３による除菌動作が行われる。このため、複数の操作を必要とすることなく、一度の操作だけで空調動作と除菌動作とを行わせることができ、操作性を向上させることができる。
【００５８】
また、空気調和装置１００は、除菌ユニット３による除菌動作のみを行う独立除菌運転モードとを備えている。これにより、空気調和装置１００が空調動作中でないときに、ユーザが除菌ボタン３８を一度押しただけで、運転停止モードから独立除菌運転モードに切り替わり、室内ユニット２の送風ファン２２による送風動作が行われるとともに、除菌ユニット３による除菌動作が行われるため、複数の操作を必要とすることなく、一度の操作だけで独立除菌運転モードに移行させることができ、操作性を向上させることができる。
【００５９】
さらに、独立除菌運転モードに移行したときに、室内ユニット２の送風ファン２２を駆動することにより、除菌ユニット３のために専用の送風ファンを設ける必要がなく、部品点数を少なくすることができる。
【００６０】
さらにまた、本実施形態によると、空気調和装置１００は、空調動作中に除菌ボタン３８が操作されることにより、連動運転モードと独立空調運転モードとを切り替えるため、空調動作を維持した状態で、除菌ユニット３による除菌動作のみの実行／停止を切り替えることができる。
【００６１】
以上、実施形態に基づいて本発明を説明したが、本発明はこれに限定されるものではない。上記実施形態では、活性酸素種として次亜塩素酸を発生させる構成について説明したが、活性酸素種としてオゾン（Ｏ3）や過酸化水素（Ｈ2Ｏ2）を発生させる構成としても良い。この場合、電極５３ａ、５３ｂとして白金タンタル電極を用いると、イオン種が希薄な水からでも、電気分解により高効率に安定して活性酸素種を生成できる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極反応により生成したＯ2-と溶液中のＨ+とが結合して、過酸化水素（Ｈ2Ｏ2）が生成される。
【００６２】
この構成では、電極５３ａ、５３ｂに通電することにより、殺菌力の大きいオゾン（Ｏ3）や過酸化水素（Ｈ2Ｏ2）が発生し、これらオゾン（Ｏ3）や過酸化水素（Ｈ2Ｏ2）を含んだ電解水を作ることができる。そして、この電解水中におけるオゾンもしくは過酸化水素の濃度を、対象ウィルス等を不活化させる濃度に調整し、この濃度の電解水が供給されたエレメント４１に空気を通過させることにより、空気中に浮遊する対象ウィルス等を不活化することができる。また、臭気等のガス状物質もエレメント４１を通過する際に、電解水に溶解したり、電解水中のオゾンまたは過酸化水素と反応したりすることにより、空気中から除去されるため、脱臭することができる。
【００６３】
また、上記実施形態では、空気調和装置の一例として、四方向吹き出し型の天井埋込型空気調和装置について説明しているが、これに限定されず、一方向や二方向の空気調和装置であってもよく、さらには、壁掛型空気調和装置等、天井埋込型でなくてもよい。
【００６４】
さらにまた、上記実施形態では、循環ポンプ４９を備えることにより、空気除菌部４を通過する電解水を循環させて再利用しているが、これに限定されず、循環ポンプ４９を備えることなく、空気除菌部４を通過した電解水を循環して再利用させることなく排水していてもよい。
【００６５】
上記実施形態では、独立空調運転モードと連動運転モードとを切り替えて、空調動作中に除菌動作の実行／停止を切り替える操作ボタンと、独立除菌運転モードと運転停止モードとを切り替えて、空調動作していないときに除菌ユニット３単独による運転／停止を操作する操作ボタンと、を除菌ボタン３８として共通のボタンとしているが、これに限定されず、個別のボタンとしてそれぞれリモコン３６に設けてもよい。
【図面の簡単な説明】
【００６６】
【図１】第１実施形態における空気調和装置の概略構成を示す図である。
【図２】室内ユニットを示す断面図である。
【図３】室内ユニットを示す分解斜視図である。
【図４】（Ａ）は空気除菌部を示す斜視図であり、（Ｂ）は電解槽の構成図である。
【図５】空気除菌部を通過する電解水の流れを示す系統図である。
【図６】空気調和装置の主要構成を示すブロック図である。
【図７】空気調和装置による運転モードの状態遷移図である。
【図８】リモコンが操作されたときの、室内ユニット２の動作制御を示すフローチャートである。
【符号の説明】
【００６７】
１      室外ユニット（室外機）
２      室内ユニット（室内機）
３      除菌ユニット（除菌装置）
８      制御装置（制御部）
１１    圧縮機
１４    室外熱交換器
２１    室内熱交換器
２２    送風ファン（送風機）
３５    連結配管
４１    エレメント（気液接触部材）
１００  空気調和装置
【図１】
2008051423.tif 000003
【図２】
2008051423.tif 000004
【図３】
2008051423.tif 000005
【図４】
2008051423.tif 000006
【図５】
2008051423.tif 000007
【図６】
2008051423.tif 000008
【図７】
2008051423.tif 000009
【図８】
2008051423.tif 000010